(57)【要約】【課題】ライン毎に極性制御信号をシフトさせ、かつ、極性を反転させることにより、ライン間に発生するゲート信号ライン遅延及び極性反転制御信号によるライン間色度差及びフリッカー、及び、クロストークが除去できる表示パネルの駆動方法を提供する。【解決手段】ゲート信号ラインを各々同じ間隔を有する複数のグループに区分するステップ（Ｓ１）と、シフト極性反転制御信号に応答した各グループのゲート信号ラインの活性化に従って各フレームの極性を反転させる処理過程を繰返し実施するステップ（Ｓ２）とを有する。【選択図】図３
2005242312.tif 000002
【特許請求の範囲】
【請求項１】
ゲート信号ラインを各々同じ間隔を有する複数のグループに区分するステップ（Ｓ１）と、
シフト極性反転制御信号に応答した各グループのゲート信号ラインの活性化に従って各フレームの極性を反転させる処理過程を繰返し実施するステップ（Ｓ２）とを有することを特徴とする表示パネルの駆動方法。
【請求項２】
一つのグループが最後のゲート信号ラインに至る場合、次のグループの第１ゲート信号ラインでは、前記シフト極性制御信号の極性を反転させ、さらに、再びシフト極性制御信号をシフトさせることを特徴とする請求項１記載の表示パネルの駆動方法。
【請求項３】
ステップ（Ｓ１）は、ゲート信号ラインを４つのライン間隔を有する３つのグループに区分するステップを有し、
ステップ（Ｓ２）は、第１ゲート信号ライン及び第１ゲート信号ラインから４番目のゲート信号ラインの活性化によって、第１フレームの極性を反転させるステップ（Ｓ２−１）と、
第２ゲート信号ライン及び第２ゲート信号ラインから４番目のゲート信号ラインの活性化により第２フレームの極性を反転させるステップ（Ｓ２−２）と、
第３ゲート信号ライン及び第３ゲート信号ラインから４番目のゲート信号ラインの活性化により第３フレームの極性を反転させるステップ（Ｓ２−３）とを有することを特徴とする請求項１記載の表示パネルの駆動方法。
【発明の詳細な説明】
【技術分野】
【０００１】
本発明は、表示パネルに関し、より詳しくは、極性制御信号をシフトしながらフレームを４つのライン毎に反転することにより表示パネルを駆動する方法に関する。
【背景技術】
【０００２】
ＦＰＧＡ（ｆｉｅｌｄ  ｐｒｏｇｒａｍｍａｂｌｅ  ｇａｔｅ  ａｒｒａｙ）やＡＳＩＣを用いてＮ番目ライン反転を行う時に生じるデータの充填時のライン間のデータの差を補償するために、シフト極性反転制御が適用され、フィールドシーケンシャルカラー（Ｆｉｅｌｄ  Ｓｅｑｕｅｎｔｉａｌ  Ｃｏｌｏｒ）技術ではカラーフィルタの代わりにＬＥＤを用いて色を表現するため、動画や携帯電話のような小型製品に広く用いられている。
従来は、極性をシフトしなくて、Ｎ番目ライン反転に合うようにＮ番目極性反転制御を用いていた（例えば、特許文献１参照）。
【０００３】
ＦＳＣ技術ではこのようにＮ番目極性反転制御した場合、ライン間の色度差が発生し、最初の段のゲートオン電圧は印加される波形と同一に印加されるが、最終段に印加されるゲートオン電圧波形は、ゲート信号ライン遅延の要因としての、ゲート信号ライン金属の特性により遅延が発生される。つまり、発生されたゲート信号ラインの遅延が原因で現在駆動される画素に希望しない次の画素のデータが印加される。このような問題により、薄膜トランジスタＬＣＤが表示される際、ゲート信号ラインの遅延により、フリッカー及びクロストーク現象が生じるという問題点があった。
【０００４】
【特許文献１】特開平０９−０１５５６０号公報
【発明の開示】
【発明が解決しようとする課題】
【０００５】
そこで、本発明は上記従来の表示パネルの駆動方法における問題点に鑑みてなされたものであって、本発明の目的は、ライン毎に極性制御信号をシフトさせ、かつ、極性を反転させることにより、ライン間に発生するゲート信号ライン遅延及び極性反転制御信号によるライン間色度差及びフリッカー、及び、クロストークが除去できる表示パネルの駆動方法を提供することをにある。
【課題を解決するための手段】
【０００６】
上記目的を達成するためになされた本発明による表示パネルの駆動方法は、ゲート信号ラインを各々同じ間隔を有する複数のグループに区分するステップ（Ｓ１）と、シフト極性反転制御信号に応答した各グループのゲート信号ラインの活性化に従って各フレームの極性を反転させる処理過程を繰返し実施するステップ（Ｓ２）とを有することを特徴とする。
【発明の効果】
【０００７】
本発明による表示パネルの駆動方法によれば、ゲート信号ライン遅延及び極性反転によるライン間の色度差やクロストーク及びフリッカーをシフト極性反転を使用すれば、ライン毎に極性シフトさせ、かつ、極性を反転させると、ライン間に発生する問題点、即ち、ディスプレイの画質の品位に影響を与える要素のライン間の輝度差や色度差及びフリッカーやクロストーク等をなくすことができるという効果がある。
【発明を実施するための最良の形態】
【０００８】
次に、本発明に係る表示パネルの駆動方法を実施するための最良の形態の具体例を図面を参照しながら説明する。
図１は、本発明の実施の形態に係る表示パネルの駆動方法を説明するための図面である。
図１を参照すると、ゲート信号ラインの遅延により発生するライン間の輝度差、または、色度差を除去するために、４ラインの反転を、例えば４ライン毎に極性を変えながら極性制御信号をシフトする。図２は、本発明の実施の形態に係るフレーム反転の信号波形図である。図３は、本発明の実施の形態に係るフレーム反転方式を説明するための図面である。
【０００９】
ＦＳＣにおいて、極性反転制御によるデータ充填時間のマージンの確保のために、ライン反転による隣接ライン間のデータを補償するために、極性反転制御信号をシフトしながら表示パネルを駆動させる。それによって、全体の画質を高めることができ、ライン間の色度差をなくすことができ、ゲート信号ラインの遅延による問題が補完できる。
【００１０】
ここで、４ライン反転方式について説明すると、次の通りである。
極性フレームが変わる毎に４個のゲート信号ライン毎に極性がシフトされる原理である。既存の方式では極性制御信号をシフトしなくて、フレームが変わる毎にフレーム極性を変えるが、本発明ではフレームが変わる毎に極性制御信号がシフトされながら、Ｎ番目ゲートに到着した時、次の１番目のゲート信号ラインの極性を変えるという処理のやり方の処理過程を繰り返す。このような方式でシフト極性反転方式を用いると、ライン間の色度差やフリッカー及びクロストーク等が除去でき、ＬＣＤ、または、携帯電話のような小型ディスプレイの全体の画質の品位を高めることができる。
【００１１】
従来技術の場合、ゲート信号ラインを４つのライン間隔を有する３つのグループに区分する。図１に示すように、極性制御信号が反転する毎に極性が変わるので、極性制御信号が変わるゲート信号ラインで以前のゲート信号ラインと以後のゲート信号ラインとに色度差が生じることにより、フリッカー、または、クロストークの発生原因となる。応答速度が速い液晶でなければ、このような問題が発生せざるを得ない。
【００１２】
従って、図１において、このような問題の解決のため、シフト極性反転方式を用いると、図２及び図３に示すように、シフト極性反転制御信号ｐｏｌにより最初のフレームである第１フレームは第１ゲート信号ライン及び第１ゲート信号ラインから４番目のゲート信号ラインの活性化により、即ち、第１ゲート信号ライン、第５ゲート信号ライン、第９ゲート信号ライン、第１３ゲート信号ライン、・・・で極性が変わる。第２フレームでは第２ゲート信号ライン及び第２ゲート信号ラインから４番目のゲート信号ラインの活性化により、即ち、第２ゲート信号ライン、第６ゲート信号ライン、第１０ゲート信号ライン、第１４ゲート信号ライン、・・・で極性が変わる。第３フレームでは第３ゲート信号ライン及び第３ゲート信号ラインから４番目のゲート信号ラインの活性化により、即ち、第３ゲート信号ライン、第７ゲート信号ライン、第１１ゲート信号ライン、第１５ゲート信号ライン、・・・で極性が変わる。
このような方式による繰返しを続けると、以前のゲート信号ラインと以後のゲート信号ラインとの色度差、または、フリッカー及びクロストークをある程度除去することができる。
【００１３】
しかし、常にこのような周期にすると、片面のみに極性が偏るので、極性が片面に偏るのを防止するために、最後のＮ番目ゲートまで到着した場合には、その次の第１ゲートではシフト極性を反転させ再度極性をシフトさせれば、より一層、以前のゲート信号ラインと以後のゲート信号ラインとの色度差やフリッカー及びクロストーク等を補償して、このような問題をなくすことができる。
【００１４】
図３は、図１を極性で示した場合、フレームの極性を示すものである。フレームが変わる毎にフレーム間の極性も変わるので、前記のライン間の輝度差や色度差及びフリッカーやクロストークをなくすことができることが分かる。
【００１５】
本発明によれば、アクティブマトリクス形態で画面が構成される表示パネルと携帯電話のような小型製品でＬＥＤで駆動するＦＳＣ及びタイミング制御器（図示していない）から制御信号と電源段からゲートオン／オフ信号を受取って、ソース駆動ＩＣ（図示していない）及びゲート駆動機ＩＣ（図示していない）を駆動し、ソース駆動ＩＣ及びゲート駆動ＩＣの信号を用いて表示パネルを駆動する。タイミング制御器から出力するシフト極性制御信号を用いてソース駆動ＩＣ及びゲート駆動ＩＣの信号により表示パネルを駆動する。本発明では、またＮ番目ライン反転を用いてシフト極性制御信号によりフレーム反転を用いて表示パネルを駆動する。
【００１６】
図４は、従来の表示パネルの駆動方法による画面状態を示す図であり、図５は、本発明の実施の形態に係る表示パネルの駆動方法による画面状態を示す図である。
図４及び図５に示すように、本発明に係る表示パネルの駆動方法による画面が従来の表示パネルの駆動方法による画面に比べてその画質がより優れることが分かる。
【００１７】
以上、説明してきたように、従来技術では極性を反転する原理は同様であるが、極性はシフトされない。しかし、本発明では極性制御信号がシフトされながらフレーム間にも極性制御信号を反転させながらＮ番目ライン反転する毎に生じるライン間に発生する色度差、または、輝度差により生じるフリッカー、または、クロストークが除去できる。極性がシフトされるので、隣りのライン間に発生する問題点を改善することができる。
【００１８】
尚、本発明は、上述の実施例に限られるものではない。本発明の技術的範囲から逸脱しない範囲内で多様に変更実施することが可能である。
【図面の簡単な説明】
【００１９】
【図１】本発明の実施の形態に係る表示パネルの駆動方法を説明するための図である。
【図２】本発明の実施の形態に係るフレーム反転の信号波形図である。
【図３】本発明の実施の形態に係るフレーム反転方式を説明するための図であり、図１を極性で示した場合、フレームの極性を示すものである。
【図４】従来の表示パネルの駆動方法による画面状態を示す図である。
【図５】本発明の実施の形態に係る表示パネルの駆動方法による画面状態を示す図である。
【図１】
2005242312.tif 000003
【図２】
2005242312.tif 000004
【図３】
2005242312.tif 000005
【図４】
2005242312.tif 000006
【図５】
2005242312.tif 000007